(57)【要約】【課題】インクカートリッジ、廃インクタンク等の交換作業等を操作性良く行うことのできるインクジェットプリンターを提供すること。【解決手段】インクジェットプリンター１における記録紙排出口４が開口しているプリンター前面５ａには、記録紙排出口４のプリンター上下方向Ｚの下側にロール紙交換口７が配置され、ロール紙交換口７のプリンター幅方向Ｘの一方の側にインクカートリッジ交換口１０が配置され、ロール紙交換口７のプリンター幅方向Ｘの他方の側には廃インクタンク交換口１２が配置されている。【選択図】図２
2015009421.tif 000002
【特許請求の範囲】
【請求項１】
記録紙排出口が開口しているプリンター前面と、
前記記録紙排出口よりも下側に位置し、前記プリンター前面に形成されたロール紙交換口と、
前記ロール紙交換口に対してプリンター幅方向の一方の第１の側に位置し、前記プリンター前面に形成されたインクカートリッジ交換口と、
前記ロール紙交換口に対して前記プリンター幅方向の他方の第２の側に位置し、前記プリンター前面に形成された廃インクタンク交換口と、
を有していることを特徴とするインクジェットプリンター。
【請求項２】
前記プリンター前面に開閉可能に取り付けられ、前記ロール紙交換口を封鎖しているロール紙交換口カバーと、
前記プリンター前面に、開閉可能あるいは着脱可能に取り付けられ、前記インクカートリッジ交換口を封鎖しているカートリッジ交換口カバーと、
前記プリンター前面に、開閉可能あるいは着脱可能に取り付けられ、前記廃インクタンク交換口を封鎖しているタンク交換口カバーと、
を有している請求項１に記載のインクジェットプリンター。
【請求項３】
前記カートリッジ交換口カバーは、前記プリンター幅方向に直行する方向であるプリンター上下方向の下端部において前記プリンター幅方向に延びる軸線を中心として、前記プリンター前面の前方に回動可能に前記プリンター前面に取り付けられている請求項２に記載のインクジェットプリンター。
【請求項４】
前記プリンター前面に着脱可能に取り付けられ、前記廃インクタンク交換口を封鎖しているタンク交換口カバーと、
前記タンク交換口カバーと前記廃インクタンク交換口の下縁部位の間を連結している所定長さの可撓性連結部材と、
を有している請求項１ないし３のうちのいずれか一つの項に記載のインクジェットプリンター。
【請求項５】
前記プリンター前面に着脱可能に取り付けられ、前記廃インクタンク交換口を封鎖しているタンク交換口カバーを有し、
前記タンク交換口カバーは、前記プリンター前面を向くカバー前面部分と、プリンター上面を向くカバー上面部分とを備え、
前記カバー上面部分は、前記プリンター上面よりも低い位置に形成された指掛け用の係合面を備えている請求項１ないし４のうちのいずれか一つの項に記載のインクジェットプリンター。
【請求項６】
前記プリンター前面に着脱可能に取り付けられ、前記廃インクタンク交換口を封鎖しているタンク交換口カバーを有し、
前記タンク交換口カバーは、前記プリンター前面を向くカバー前面部分と、前記プリンター前面の前記第２の側の端に連続するプリンター側面を向くカバー側面部分とを備え、
前記タンク交換口カバーを前記プリンター前面から外すと、前記廃インクタンク交換口が前記プリンター前面に開口すると共に前記プリンター側面にも開口し、
前記廃インクタンク交換口から挿入される廃インクタンクは、前記廃インクタンク交換口における前記プリンター側面に開口する部分に対峙する部位に、指掛け用の係合部を備えている請求項１ないし５のうちのいずれか一つの項に記載のインクジェットプリンター。
【請求項７】
表示面および操作部材が配列された操作面と、
電源スイッチと、
を有し、
前記操作面は、前記プリンター前面において、前記インクカートリッジ交換口に対して前記プリンター上下方向の上側で、かつ、前記記録紙排出口に対して前記プリンター幅方向の前記第１の側に配置され、
前記電源スイッチは、前記プリンター前面において、前記廃インクタンク交換口に対して前記プリンター上下方向の上側で、かつ、前記記録紙排出口に対して前記プリンター幅方向の前記第２の側に配置されている、
請求項１ないし６のうちのいずれか一つの項に記載のインクジェットプリンター。
【請求項８】
前記プリンター前面に開閉可能あるいは着脱可能に取り付けられ、前記インクカートリッジ交換口を封鎖しているカートリッジ交換口カバーと、
前記カートリッジ交換口カバーを開けると露出するプリンター前面部分に配置した内側操作部材と、
を有している請求項１ないし７のうちのいずれか一つの項に記載のインクジェットプリンター。
【請求項９】
前記記録紙排出口に繋がる記録紙搬送路と、
前記記録紙搬送路よりも下側に配置され、前記ロール紙交換口を備えたロール紙収納部と、
前記ロール紙収納部に対して前記プリンター幅方向の前記第１の側に配置され、前記インクカートリッジ交換口を備えたインクカートリッジ装着部と、
前記ロール紙収納部に対して前記プリンター幅方向の前記第２の側に配置され、前記廃インクタンク交換口を備えた廃インクタンク装着部と、
前記インクカートリッジ装着部に対して前記プリンター幅方向に直行する方向である上下方向の上側に配置されたヘドメンテナンスユニットと、
前記ヘッドメンテナンスユニット、前記記録紙搬送路および前記廃インクタンク装着部の前記プリンター上下方向の上側位置を、前記プリンター幅方向に往復移動可能なヘッドキャリッジと、
前記ヘッドキャリッジに搭載されたインクジェットヘッドと、
を有している請求項１ないし８のうちのいずれか一つの項に記載のインクジェットプリンター。
【請求項１０】
前記インクカートリッジ装着部は前記プリンター幅方向に比べて前記プリンター上下方向に長く、前記プリンター上下方向に区画された複数のインクカートリッジ装着部分を備え、
前記廃インクタンク装着部は、前記プリンター幅方向に比べて、前記プリンター上下方向およびプリンター前後方向に長く、偏平な直方体形状の廃インクタンクが縦置き状態で装着される請求項９に記載のインクジェットプリンター。
【発明の詳細な説明】
【技術分野】
【０００１】
本発明は、記録紙排出口が設けられているプリンター前面からユーザーが各種の操作を行うことのできるインクジェットプリンターに関する。
【背景技術】
【０００２】
インクジェットプリンターにおいては、インクジェットヘッドの目詰まり等を防止するために定期的に各ノズルからインク液滴を吐出するメンテナンス動作が行われる。特許文献１には、各ノズルから排出された廃インクを回収する廃インクタンクをプリンター本体の下方から着脱できるようにしたインクジェットプリンターが提案されている。
【０００３】
また、インクジェットプリンターにおいては、インク供給源として、プリンター本体に着脱可能に装着さるインクカートリッジが用いられる。特許文献２には、ロール紙収納部の側方のスペースをインクカートリッジ装着部として利用して、小型・コンパクト化を図ったインクジェトプリンターが提案されている。
【先行技術文献】
【特許文献】
【０００４】
【特許文献１】特開平１０−１８１０４２号公報
【特許文献２】特開２００７−１５２８１１号公報
【発明の概要】
【発明が解決しようとする課題】
【０００５】
従来のインクジェットプリンターにおいては、インクカートリッジは、プリンター本体の側面あるいは特許文献２に記載されているようにプリンター本体の前面に交換口が形成され、側方あるいは前方からプリンター本体に着脱される。これに対して、廃インクタンクは、インクカートリッジに比べて交換頻度が低いので、プリンター本体における目立たない場所に配置される。通常は、プリンター本体の側面、背面あるいは特許文献１に記載されているようにプリンター本体の下面に配置され、側方、後方あるいは下方からプリンター本体に装着される。
【０００６】
従来においては、インクカートリッジの交換口および廃インクタンクの交換口の位置関係については着目されていない。例えば、双方の交換口がプリンター本体における異なる面に設けられていると、それらの着脱方向が相違し、ユーザーにとっては操作性が極めて悪いという問題がある。
【０００７】
また、インクジェットプリンターを棚等の狭い場所に設置して使用する場合には、インクジェットプリンターの側方、上方あるいは後方に十分なスペースを確保できないことが多い。インクカートリッジおよび廃インクタンクの交換口がプリンター本体の側面、上面あるいは後面にある場合には、インクジェットプリンターを広い場所に移動して、インクカートリッジ、廃インクタンクを交換する必要があり、極めて不便である。
【０００８】
さらに、多数台のインクジェットプリンターを並列配置して使用する場合等においては、インクジェットプリンターは隙間無く配列される。このため、各インクジェットプリンターの側方にはスペースが無い。このような場合においても、側方から廃インクタンク、インクカートリッジの交換作業を行うためには、インクジェットプリンターを移動させる必要があり、極めて不便である。
【０００９】
本発明の課題は、このような点に鑑みて、インクカートリッジ、廃インクタンク等の交換作業等を操作性良く行うことのできるインクジェットプリンターを提供することにある。
【課題を解決するための手段】
【００１０】
上記の課題を解決するために、本発明のインクジェットプリンターは、
記録紙排出口が開口しているプリンター前面と、
前記記録紙排出口よりも下側に位置し、前記プリンター前面に形成されたロール紙交換口と、
前記ロール紙交換口に対してプリンター幅方向の一方の第１の側に位置し、前記プリンター前面に形成されたインクカートリッジ交換口と、
前記ロール紙交換口に対して前記プリンター幅方向の他方の第２の側に位置し、前記プリンター前面に形成された廃インクタンク交換口と、
を有していることを特徴としている。
【００１１】
本発明のインクジェットプリンターでは、記録紙排出口が開口しているプリンター前面に、ロール紙交換口、インクカートリッジ交換口および廃インクタンク交換口が配置されている。したがって、記録紙排出口から排出される印刷済みの記録紙の取り出し、ロール紙の交換、インクカートリッジの交換、および廃インクタンクの交換を、全て、プリンター前面から行うことができる。よって、ユーザーにとって使い勝手のよいインクジェットプリンターを提供できる。
【００１２】
インクジェットヘッドがプリンター幅方向に往復移動してロール紙に印刷を行うシリアル型のインクジェットプリンターでは、インクジェットヘッドが搭載されたキャリッジの移動幅がロール紙収納部の幅よりも左右に広い。このため、ロール紙収納部の両側にはデッドスペースができる。特に、インクジェットヘッドが、移動方向にシアン、マゼンタ、イエローおよびブラックの４つのノズル列を備えた幅広の場合には、ロール紙収納部の両側に広いデッドスペースができやすい。本発明では、ロール紙収納部の一方の側にインクカートリッジ交換口を備えたインクカートリッジ装着部を配置でき、他方側に廃インクタンク交換口を備えた廃インクタンク装着部を配置できる。よって、デッドスペースを利用してインクカートリッジ装着部および廃インクタンク装着部を配置できるので、インクジェットプリンターの小型・コンパクト化に有利である。
【００１３】
本発明のインクジェットプリンターは、
前記プリンター前面に開閉可能に取り付けられ、前記ロール紙交換口を封鎖しているロール紙交換口カバーと、
前記プリンター前面に、開閉可能あるいは着脱可能に取り付けられ、前記インクカートリッジ交換口を封鎖しているカートリッジ交換口カバーと、
前記プリンター前面に、開閉可能あるいは着脱可能に取り付けられ、前記廃インクタンク交換口を封鎖しているタンク交換口カバーと、
を有していることが望ましい。
【００１４】
特に、廃インクタンクに比べて交換頻度の高い前記カートリッジ交換口カバーは、前記プリンター幅方向に直交する方向である上下方向の下端部において前記プリンター幅方向に延びる軸線を中心として、前記プリンター前面の前方に回動可能に前記プリンター前面に取り付けられていることが望ましい。
【００１５】
一般に、プリンター前方には十分なスペースが確保されている。よって、カートリッジ交換口カバーを前方に回動させて開ける構成を採用すれば、インクカートリッジの交換作業を簡単に行うことができる。
【００１６】
これに対して、廃インクタンクはインクカートリッジに比べて交換頻度が低い。したがって、本発明のインクジェットプリンターは、
前記プリンター前面に着脱可能に取り付けられ、前記廃インクタンク交換口を封鎖しているタンク交換口カバーと、
前記タンク交換口カバーと前記廃インクタンク交換口の下縁部位の間を連結している所定長さの可撓性連結部材と、
を有していることが望ましい。
【００１７】
プリンター前面部分に、スナップフィット等の機構を用いて、タンク交換口カバーを着脱可能に取り付けるようにすれば、タンク交換口カバーを回動軸回りに回動可能にプリンター前面部分に取り付ける場合に比べて、取付け部分の機構が簡素化される。
【００１８】
また、廃インクタンクは一般に偏平な直方体形状をしているので、その廃インクタンク交換口もプリンター上下方向に縦長の長方形になり、タンク交換口カバーも縦長の長方形になる。この場合、縦長のタンク交換口カバーの下端を前方に回動可能に取り付ける場合には、タンク交換口カバーにプリンター幅方向の力が作用すると、取付け部分に大きな力が作用し、当該取付け部分が破損しやすい。本発明では、タンク交換口カバーを着脱式としているので、このような弊害が発生しない。
【００１９】
さらに、取り外したタンク交換口カバーは、可撓性の連結部材によってプリンター前面部分、すなわち、廃インクタンク交換口の下縁部位に繋がっている。よって、取り外したタンク交換口カバーが落下して破損するなどの危険性もない。また、取り外したタンク交換口カバーを見失ってしまうこともない。
【００２０】
本発明のインクジェットプリンターは、
前記プリンター前面に着脱可能に取り付けられ、前記廃インクタンク交換口を封鎖しているタンク交換口カバーを有し、
前記タンク交換口カバーは、前記プリンター前面を向くカバー前面部分と、プリンター上面を向くカバー上面部分とを備え、
前記カバー上面部分は、前記プリンター上面よりも低い位置に形成された指掛け用の係合面を備えていることが望ましい。
【００２１】
着脱式のタンク交換口カバーの場合には、プリンター前面から取り外す際に、タンク交換口カバーに指等を掛ける必要がある。本発明では、タンク交換口カバーにカバー上面部分を形成し、このカバー上面部分に、プリンター上面よりも低い位置に形成した係合面を設けてある。タンク交換口カバーの表面等に指掛け用の取手等の突起を形成する場合に比べて、タンク交換口カバーを簡単な構成にすることができる。また、プリンター上面側にスペースが無い場合であっても、プリンター上面よりも一段低い位置に係合面が形成されているので、係合面に指先を掛けてタンク交換口カバーをプリンター前面から外すことができる。
【００２２】
本発明のインクジェットプリンターは、
前記プリンター前面に着脱可能に取り付けられ、前記廃インクタンク交換口を封鎖しているタンク交換口カバーを有し、
前記タンク交換口カバーは、前記プリンター前面を向くカバー前面部分と、前記プリンター前面の前記第２の側の端に連続するプリンター側面を向くカバー側面部分とを備え、
前記タンク交換口カバーを前記プリンター前面から外すと、前記廃インクタンク交換口が前記プリンター前面に開口すると共に前記プリンター側面にも開口し、
前記廃インクタンク交換口から挿入される廃インクタンクは、前記廃インクタンク交換口における前記プリンター側面に開口する部分に対峙する部位に、指掛け用の係合部を備えていることが望ましい。
【００２３】
タンク交換口カバーを外すと、廃インクタンク交換口がプリンター側方にも開口するので、そこから露出している廃インクタンクの指掛け用の係合部に簡単に指を掛けて、当該廃インクタンクを前方に引き出すことができる。よって、廃インクタンクの取り出しを簡単に行うことができる。
【００２４】
次に、本発明のインクジェットプリンターは、
表示面および操作部材が配列された操作面と、
電源スイッチと、
を有し、
前記操作面は、前記プリンター前面において、前記インクカートリッジ交換口に対して前記プリンター上下方向の上側で、かつ、前記記録紙排出口に対して前記プリンター幅方向の前記第１の側に配置され、
前記電源スイッチは、前記プリンター前面において、前記廃インクタンク交換口に対して前記プリンター上下方向の上側で、かつ、前記記録紙排出口に対して前記プリンター幅方向の前記第２の側に配置されていることが望ましい。
【００２５】
液晶表示器等の表示面と各種のスイッチ、ボタン等の操作部材が配列された操作面をプリンター前面に配置しておくことにより、インクカートリッジ等の交換作業だけでなく、表示面の表示内容の確認、各種の入力操作等もプリンター前面から行うことができる。したがって、ユーザーにとって操作性に優れたインクジェットプリンターを提供できる。
【００２６】
また、電源スイッチもプリンター前面に配置されていると共に、他のスイッチ、ボタンン等の操作部材とは離れた位置に配置されている。したがって、プリンダー動作中において、操作面上において各種のスイッチの操作時に電源スイッチを誤操作して印刷動作が中断してしまう等の弊害を確実に防止できる。
【００２７】
さらに、本発明のインクジェットプリンターは、
前記プリンター前面に開閉可能あるいは着脱可能に取り付けられ、前記インクカートリッジ交換口を封鎖しているカートリッジ交換口カバーと、
前記カートリッジ交換口カバーを開けると露出するプリンター前面部分に配置した設定用操作部材と、
を有していることが望ましい。
【００２８】
ディップスイッチ等の設定用操作部材は一般にプリンターの後面あるいは底面等に配置されている。このようなスイッチもプリンター前面から操作できるので便利である。また、これらのスイッチはカートリッジ交換口カバーの内側に配置され、通常は隠されている。このようなスイッチは通常は操作されないので、カートリジ交換口カバーの内側に配置しておいてもユーザーが不便を来すことはない。また、誤操作等されることも防止できる。
【００２９】
次に、上記のようにプリンター前面に、記録紙排出口、ロール紙交換口、インクカートリッジ交換口および廃インクタンク交換口が配置される場合には、プリンター本体内部の各部のレイアウトを次のようにすることができる。
【００３０】
すなわち、本発明のインクジェットプリンターは、
前記記録紙排出口に繋がる記録紙搬送路と、
前記記録紙搬送路よりも下側に配置され、前記ロール紙交換口を備えたロール紙収納部と、
前記ロール紙収納部に対して前記プリンター幅方向の前記第１の側に配置され、前記インクカートリッジ交換口を備えたインクカートリッジ装着部と、
前記ロール紙収納部に対して前記プリンター幅方向の前記第２の側に配置され、前記廃インクタンク交換口を備えた廃インクタンク装着部と、
前記インクカートリッジ装着部に対して前記プリンター幅方向に直交する方向であるプリンター上下方向の上側に配置されたヘッドメンテナンスユニットと、
前記ヘッドメンテナンスユニット、前記記録紙搬送路および前記廃インクタンク装着部の前記プリンター上下方向の上側位置を、前記プリンター幅方向に往復移動可能なヘッドキャリッジと、
前記ヘッドキャリッジに搭載されたインクジェットヘッドと、
を有している。
【００３１】
この場合、前記インクカートリッジ装着部は前記プリンター幅方向に比べて前記プリンター上下方向に長く、前記プリンター上下方向に区画された複数のインクカートリッジ装着部分を備えた構成とすることができる。また、前記廃インクタンク装着部は、前記プリンター幅方向に比べて、前記プリンター上下方向およびプリンター前後方向に長く、偏平な直方体形状の廃インクタンクを縦置き状態で装着するように構成することができる。
【図面の簡単な説明】
【００３２】
【図１】本発明を適用したインクジェットプリンターの斜視図である。
【図２】各交換口が開いた状態を示すインクジェットプリンターの斜視図である。
【図３】インクジェットプリンターのプリンター機構部を示す斜視図である。
【図４】廃インク回収系を示す説明図である。
【図５】インクカートリッジ交換口が開いたインクジェットプリンターの斜視図である。
【図６】廃インクタンク交換口が開いたインクジェットプリンターの斜視図である。
【図７】廃インクタンク交換口を封鎖するタンク交換口カバーを示す斜視図である。
【発明を実施するための形態】
【００３３】
以下に、図面を参照して、本発明を適用したインクジェットプリンターの実施の形態を説明する。
【００３４】
（プリンター前面の構成）
図１は本実施の形態に係るインクジェットプリンターを示す外観斜視図である。図２（ａ）は、プリンター前面に設けた各交換口を開けた状態のインクジェットプリンターを前方の左側から見た場合の外観斜視図であり、図２（ｂ）は同状態のインクジェットプリンターを前方の右側から見た場合の外観斜視図である。図３（ａ）はインクジェットプリンターのプリンター機構部を前方の左側から見た場合の斜視図であり、図３（ｂ）はプリンター機構部を前方の右側から見た場合の斜視図である。
【００３５】
これらの図を参照して説明すると、インクジェットプリンター１（以下、単に「プリンター１」と呼ぶ場合もある。）はロール紙プリンターであり、全体として略直方体の輪郭形状をしたプリンター機構部２（図３参照）がプリンターケース３によって覆われた構成となっている。
【００３６】
プリンター１は所定幅の記録紙排出口４を備えており、本明細書においては、記録紙排出口４が開口しているプリンターケース３の面をプリンター前面５ａと呼ぶものとする。記録紙排出口４はプリンター前面５ａにおいて、その幅方向であるプリンター幅方向Ｘに延びる所定幅の開口である。記録紙排出口４の下辺縁、すなわち、プリンター幅方向Ｘに直交するプリンター上下方向Ｚの下側の縁に沿って、プリンター前方に突出した排紙ガイド６がプリンター１の前面部分に取り付けられている。
【００３７】
記録紙排出口４に対して、プリンター上下方向Ｚの下側には、プリンター前面５ａに開口可能な所定幅および所定高さの矩形のロール紙交換口７が形成されている。ロール紙交換口７は、プリンター１の前面部分に開閉可能に取り付けたロール紙交換口カバー８によって封鎖されている。ロール紙交換口カバー８は、カバー開閉レバー９を操作することによって不図示のロックが解除されて開けることができる。カバー開閉レバー９は、記録紙排出口４に対してプリンター幅方向Ｘにおける一方の側（第２の側）に隣接配置されている。
【００３８】
ロール紙交換口カバー８は、そのプリンター上下方向Ｚの下端部を中心としてプリンター前方に開けることができる開閉式のカバーである。すなわち、プリンター機構部２におけるプリンター前面５ａの側の下端部には、プリンター幅方向Ｘに延びる支軸８ａ（図３（ａ）参照）が取り付けられている。この支軸８ａを中心として、ロール紙交換口カバー８は、図１に示す閉じ位置から、図２に示すようにプリンター前方に略水平に倒れた開き位置までの間を回動可能である。ロール紙交換口カバー８には排紙ガイド６が取り付けられており、ロール紙交換口カバー８を開くと記録紙排出口４も開放状態になる。
【００３９】
ロール紙交換口７に対して、プリンター幅方向Ｘにおけるカバー開閉レバー９とは反対側（第１の側）には、プリンター前面５ａに開口可能なプリンター上下方向Ｚに長い長方形のインクカートリッジ交換口１０が形成されている。インクカートリッジ交換口１０は、プリンター１の前面部分に取り付けた開閉可能なカートリッジ交換口カバー１１によって封鎖されている。
【００４０】
ロール紙交換口７に対してプリンター幅方向Ｘにおけるインクカートリッジ交換口１０とは反対側（第２の側）には、プリンター前面５ａに開口可能なプリンター上下方向Ｚに細長い廃インクタンク交換口１２が形成されている。廃インクタンク交換口１２は、着脱可能にプリンター１の前面部分に取り付けたタンク交換口カバー１３によって封鎖されている。
【００４１】
このように、プリンター１においては、そのプリンター前面５ａに、記録紙排出口４、ロール紙交換口７、インクカートリッジ交換口１０および廃インクタンク交換口１２が配置されている。したがって、記録紙の取り出し、ロール紙交換、インクカートリッジ交換および廃インクタンク交換をプリンター前方から行うことができる。なお、これらの交換口７、１０、１２を介して交換作業以外の各種のメンテナンス作業を行い得ることは勿論である。
【００４２】
次に、プリンター前面５ａには、ＬＣＤ表示面および複数の操作部材が配列された操作面１５が配置されている。操作面１５は、インクカートリッジ交換口１０に対してプリンター上下方向Ｚの上側で、かつ、記録紙排出口４に対してプリンター幅方向Ｘにおける側方の部位（第１の側の部位）に配置されている。操作面１５には、表示部として、例えば、ＬＥＤが内蔵された電源ランプ１６ａ、状態表示ランプ１６ｂ、ペーパーエンドランプ１６ｃ、インクエンドランプ１６ｄが、この順序でプリンター幅方向Ｘに配列されている。また、これらの下側にはプリンター幅方向Ｘに細長い液晶表示画面１７が配置されている。液晶表示面１７の下側には、複数の操作部材が配列されている。例えば、カッター駆動ボタン１８ａ、紙送りボタン１８ｂおよびクリーニングスイッチ１８ｃが配置されている。
【００４３】
プリンター前面５ａにおいて、記録紙排出口４に対して、操作面１５とは反対側（第２の側）には、電源スイッチ１９が配置されている。電源スイッチ１９は、カバー開閉レバー９と、廃インクタンク交換口１２の境界部分の上方の位置に配置されている。このように、電源スイッチ１９は、それ以外の操作部材が配列された操作面１５とはプリンター幅方向Ｘに離れた位置に配置されている。したがって、操作面１５上の操作部材の操作時に、電源スイッチ１９を誤って操作してしまう等といった誤操作の発生を確実に防止できる。
【００４４】
また、図２から分かるように、インクカートリッジ交換口１０におけるプリンター上下方向Ｚの上側の部位にも操作面２０が形成されている。この操作面２０には、複数個のディップスイッチ２１ａおよび液晶表示画面１７のコントラスト（明るさ）調整用のボタン群２１ｂ等の設定スイッチが配列されている。カートリッジ交換口カバー１１における上端部分は当該操作面２０を覆うカバー部分１１Ｂであり、それ以外の部分がインクカートリッジ交換口１０を封鎖するカバー部分１１Ａである。図１に示すように、インクカートリッジ交換口１０をカートリッジ交換口カバー１１で封鎖すると、操作面２０が覆い隠された状態になる。
【００４５】
このように、プリンター前面５ａには、ユーザーが通常の操作において使用する表示部と操作部材が配列されている。したがって、プリンター１の状態確認、操作入力等をプリンター前方から行うことができる。また、通常は使用しないディップスイッチ２１ａ、コントラスト調整用のボタン群２１ｂなどの設定スイッチも、カートリッジ交換口カバー１１を開けるとプリンター前方に露出する。これらの操作もプリンター１を移動させるなどの作業、プリンター１の背面側に回り込む等の動作を行うことなく、簡単に行うことができる。
【００４６】
（プリンター機構部）
次にプリンター１の内部構成を説明する。プリンターケース３によって覆われているプリンター機構部２は、図３に示すように、板金製の底板３０ａ、左右の側板３０ｂ、３０ｃ等から構成されるプリンターフレーム３０を備えている。プリンターフレーム３０に、プリンター１の各構成部品が組み付けられている。
【００４７】
プリンター機構部２におけるプリンター幅方向Ｘの中央部分には、ロール紙交換口７を介してプリンター前方に開口可能なロール紙収納部３１が配置されている。ロール紙収納部３１には、ラベル用紙等のテープ状の記録紙が巻き取られた構成のロール紙（図示せず）が横置き状態で収納される。
【００４８】
ロール紙からプリンター前後方向Ｙの後方に向けて繰り出される記録紙は、ロール紙収納部３１の上方に形成されているプリンター前後方向Ｙに延びる記録紙搬送路３２に沿ってプリンター前方に引き回されて、記録紙排出口４に引き出された状態にセットされる。
【００４９】
記録紙搬送路３２の上方には、プリンター幅方向Ｘに往復移動可能な状態でヘッドキャリッジ３３が配置されている。ヘッドキャリッジ３３には記録紙搬送路３２を向く状態にインクジェットヘッド２９（後述の図４参照）が搭載されている。ヘッドキャリッジ３３は、記録紙搬送路３２の幅よりも両側に広い移動範囲を移動する。
【００５０】
ロール紙収納部３１に対してプリンター幅方向Ｘの一方の側（第１の側）には、インクカートリッジ交換口１０を介してプリンター前方に開口するインクカートリッジ装着部３４が配置されている。ロール紙収納部３１に対してプリンター幅方向Ｘの反対側（第２の側）には、廃インクタンク交換口１２を介してプリンター前方に開口する廃インクタンク装着部３５が配置されている。また、インクカートリッジ装着部３４におけるプリンター上下方向Ｚの上側にはヘッドメンテナンスユニット３６が配置されている。
【００５１】
ヘッドキャリッジ３３は、ヘッドメンテナンスユニット３６、記録紙搬送路３２および廃インクタンク装着部３５におけるプリンター上下方向Ｚの上側位置を、プリンター幅方向Ｘに直線状に移動する移動経路に沿って往復移動可能である。なお、記録紙排出口４に対してプリンター上下方向Ｚの上側には、記録紙切断機構６１（カッター）が配置されている。
【００５２】
ここで、インクカートリッジ装着部３４は、プリンター幅方向Ｘに比べてプリンター上下方向Ｚに長い断面形状をしたプリンター前後方向Ｙに延びる装着部である。このインクカートリッジ装着部３４は、プリンター上下方向Ｚに複数に区画されている。本例では、４つに区画されており、例えば、下側から上側に向かって、ブラックインク、マゼンタインク、イエローインクよびシアンインクのインクカートリッジＫ、Ｍ、Ｙ、Ｃの装着部分となっている。廃インクタンク装着部３５は、プリンター幅方向Ｘに比べて、プリンター上下方向Ｚおよびプリンター前後方向Ｙに長い。ここには、偏平な直方体形状の廃インクタンク３７が縦置き状態で装着される。
【００５３】
このように、本例では、ヘッドキャリッジ３３の移動範囲におけるロール紙収納部３１の両側のスペースを利用して、インクカートリッジ装着部３４および廃インクタンク装着部３５を配置してある。したがって、これらの装着部３４、３５の設置スペースを確保するために、プリンター１の幅寸法が大きくなってしまうことがなく、プリンター１の小型・コンパクト化に有利である。
【００５４】
なお、プリンター機構部２には、廃インクタンク３７に廃インクを回収する廃インク回収系が組み込まれている。図４は廃インク回収系を示す説明図である。プリンター機構部２の背面側の部位には、ヘッドメンテナンスユニット３６と廃インクタンク装着部３５の間を繋ぐ廃インクチューブ２８ａが配置されている。ヘッドキャリッジ３３に搭載されているインクジェットヘッド２９は、ヘッドメンテナンスユニット３６のヘッドキャップ３６ａに対峙した位置において、そのノズル回復動作等のために各ノズルからインク液滴の吐出動作（フラッシング）を行う。吐出された廃インクは、ヘッドメンテナンスユニット３６のヘッドキャップ３６ａから圧送ポンプ２８ｂによって廃インクチューブ２８ａを介して廃インクタンク装着部３５に排出され、ここに装着されている廃インクタンク３７に回収される。廃インクチューブ２８ａは、プリンター背面側の部位において、プリンター上下方向における同一高さ位置をプリンター幅方向Ｘに略水平に直線状に引き回されている。廃インクタンク３７に回収された廃インクは、廃インクタンク３７内に収納された多孔質の吸収材３７Ａに吸収されて保持される。
【００５５】
（カートリッジ交換口カバー）
次に、図５（ａ）はカートリッジ交換口カバー１１を開けた状態のプリンター１をプリンター前方の左側から見た場合の外観斜視図であり、図５（ｂ）は同状態のプリンター１をプリンター前方の右側から見た場合の外観斜視図である。
【００５６】
これらの図に示すように、カートリッジ交換口カバー１１は、そのプリンター上下方向Ｚの下端部を中心としてプリンター前方に開けることができる開閉式のカバーである。すなわち、プリンター機構部２における下端部に取り付けたプリンター幅方向Ｘに延びる支軸１１ａを中心として、カートリッジ交換口カバー１１は、図１に示す閉じ位置から、図５に示すようにプリンター前方に略水平に倒れた開き位置までの間を回動可能である。
【００５７】
カートリッジ交換口カバー１１はプリンター上下方向Ｚに長い長方形輪郭のカバーであり、その上端部には開閉時に指で掴んで操作する摘み用突部１１ｂが形成されている。また、カートリッジ交換口カバー１１の側縁部分、上端部内周面には、係合用のフック１１ｃ、１１ｄが形成されており、プリンターケース３の側のインクカートリッジ交換口１０における対応する内周縁部分には、これらのフックが弾性変形によって係合可能な係合部（図示せず）が形成されている。フックと係合部との係合によって、カートリッジ交換口カバー１１はインクカートリッジ交換口１０を封鎖した閉じ位置に保持される。所定の力で摘み用突部１１ｂをプリンター前方に引くことで、フックが係合部から外れて、カートリッジ交換口カバー１１を開けることが可能となっている。
【００５８】
このように、カートリッジ交換口カバー１１は、その下端部を中心としてプリンター前方に開けることができる。一般に、プリンター前方には十分なスペースが確保されている。したがって、カートリッジ交換口カバー１１を側方に旋回させてインクカートリッジ交換口１０を開ける場合等に比べて、カートリッジ交換口カバー１１の開閉を簡単に行うことができる。よって、インクカートリッジ装着部３４に対するインクカートリッジの交換作業を簡単に行うことができる。
【００５９】
（タンク交換口カバー）
図６（ａ）はタンク交換口カバー１３を開けた状態のプリンター１をプリンター前方の左側から見た場合の外観斜視図であり、図６（ｂ）は同状態のプリンター１をプリンター前方の右側から見た場合の外観斜視図である。また、図７（ａ）はプリンター前方に向けて水平に倒した状態のタンク交換口カバー１３を示す斜視図であり、図７（ｂ）はプリンター上下方向Ｚに立てた状態のタンク交換口カバー１３を示す斜視図である。
【００６０】
図１および図６を主に参照して説明すると、タンク交換口カバー１３は、プリンター１のプリンター上下方向Ｚの高さとほぼ同一の長さの細長いカバーである。このタンク交換口カバー１３は着脱可能な状態でプリンター前面５ａに取り付けられている。また、タンク交換口カバー１３の下端部と、廃インクタンク交換口１２の下縁部位との間は、一定幅の可撓性の連部材である連結バンド４０によって連結されている。したがって、プリンター１のプリンター前面５ａから取り外したタンク交換口カバー１３が落下して破損する等のおそれがない。また、取り外したタンク交換口カバー１３を見失ってしまうこともない。
【００６１】
図７から分かるように、タンク交換口カバー１３は、プリンター前面５ａを向くカバー前面部分４１と、プリンター前面５ａの側端からプリンター後方に延びるプリンター側面５ｂを向くカバー側面部分４２と、プリンター上面５ｃを向くカバー上面部分４３と、プリンター底面５ｄを向くカバー底面部分４４を備えている。タンク交換口カバー１３のカバー前面部分４１におけるロール紙交換口カバー８の側の縁端には、プリンター後方に延びる垂直仕切板部分４５が形成されている。また、タンク交換口カバー１３の内側面には、その上端側の部分に、水平仕切り板部分４６が形成されている。この水平仕切り板部分４６から下側の部分は、廃インクタンク交換口１２を封鎖するカバー部分１３Ａである。水平仕切り板部分４６よりも上側の部分は、プリンター前面５ａにおける廃インクタンク交換口１２の上端からプリンター上面５ｃまでの間を覆うカバー部分１３Ｂである。カバー部分１３Ｂには、電源スイッチ１９の輪郭に対応する矩形の切り欠き部５２が形成されている。
【００６２】
タンク交換口カバー１３には、その内側部分の下端部に形成した位置決め用突起４７等の位置決め部が形成されている。また、タンク交換口カバー１３には係合用のフック４８が形成されている。プリンター１のプリンター前面５ａの側には、図６に示すように、廃インクタンク交換口１２の上側に円弧面状部分１２Ｂが形成されており、ここには、フック４８に対応する部位に、弾性変形してフック４８に係合可能なフック係合溝４９が形成されている。タンク交換口カバー１３をプリンター前面５ａの廃インクタンク交換口１２に位置決めして押し込むと、フック４８がフック係合溝４９に係合し、タンク交換口カバー１３がプリンター前面５ａに取り付けられ、廃インクタンク交換口１２が閉鎖された状態が形成される。また、当該タンク交換口カバー１３の上端側のカバー部分１３Ｂによって廃インクタンク交換口１２の上側の円弧面状部分１２Ｂが覆い隠された状態になる。
【００６３】
ここで、タンク交換口カバー１３の上端側のカバー部分１３Ｂの内側面部分には、カバー検出片５０が形成されている。プリンター前面５ａの円弧面状部分１２Ｂには、このカバー検出片５０を差し込み可能なスリット５１が形成されている。スリット５１の内部には、カバー検出片５０を検出可能な検出器（図示せず）が配置されている。例えば光学式検出器等の非接触式検出器あるいはマイクロスイッチ等の接触式検出器が組み込まれている。タンク交換口カバー１３を廃インクタンク交換口１２に取り付けると、カバー検出片５０がスリット５１に差し込まれた状態になり、内蔵の検出器によってカバー検出片５０が検出される。よって、タンク交換口カバー１３が取り付けられているのか、あるいは、外されているのかをプリンター１が認識できる。
【００６４】
次に、タンク交換口カバー１３には、そのカバー上面部分４３に指掛け用の係合面４３ａが形成されている。係合面４３ａは、プリンター上面５ｃよりも一段低い位置となるように形成され、高摩擦係数の凹凸状の面となっている。プリンター前面５ａに取り付けられているタンク交換口カバー１３を外す場合には、プリンター前方から、プリンター上面５ｃよりも一段低い位置にある係合面４３ａに指先等を掛け、当該タンク交換口カバー１３をプリンター前方に引けばよい。これにより、フック４８がフック係合溝４９から外れるので、タンク交換口カバー１３をプリンター前面５ａからプリンター前方に外すことができる。
【００６５】
狭い高さの棚等にプリンター１を設置する場合、プリンター１のプリンター上面５ｃに物を載せてある場合等においても、プリンター前方から、タンク交換口カバー１３の上端の係合面４３ａに指先等を簡単に掛けることができる。よって、タンク交換口カバー１３の取り外しを、プリンター１を移動することなく、また、他の物品を移動することなく、簡単に行うことができる。
【００６６】
次に、タンク交換口カバー１３は、前面カバー部分４１と側面カバー部分４２を備えている。したがって、タンク交換口カバー１３をプリンター前面５ａから外すと、廃インクタンク交換口１２は、プリンター前方に開口すると共に、プリンター側方にも開口する。廃インクタンク交換口１２から廃インクタンク装着部３５に装着されている廃インクタンク３７は、そのプリンター前方の側の端部分３７ａに指掛け用の係合用凹部３７ｂを備えている。係合用凹部３７ｂはプリンター側面５ｂに開口しており、タンク交換口カバー１３を外すと、図６から分かるように、プリンター側方に露出する。
【００６７】
したがって、係合用凹部３７ｂに指先などを掛けることで、廃インクタンク３７を廃インクタンク装着部３５からプリンター前方に引き抜く作業を簡単に行うことができる。すなわち、多数台のプリンター１を隙間無く横方向に配列して使用する場合等においては、プリンター前方に開口した廃インクタンク交換口１２から指先等を入れて廃インクタンク３７の前端部分を掴み、引き出すことが困難な場合がある。本例では、廃インクタンク３７の前端の側方に開口する係合用凹部３７ｂに指先等を簡単に掛けることができるので、プリンター１が隙間無く並列配置されている場合であっても、プリンター前方から簡単に廃インクタンク３７を掴んで引き出すことができる。
【符号の説明】
【００６８】
１  インクジェットプリンター、２  プリンター機構部、３  プリンターケース、４  記録紙排出口、５ａ  プリンター前面、５ｂ  プリンター側面、５ｃ  プリンター上面、５ｄ  プリンター底面、６  排紙ガイド、７  ロール紙交換口、８  ロール紙交換口カバー、８ａ  支軸、９  カバー開閉レバー、１０  インクカートリッジ交換口、１１  カートリッジ交換口カバー、１１Ａ  カバー部分、１１Ｂ  カバー部分、１１ａ  支軸、１１ｂ  摘み用突起、１２  廃インクタンク交換口、１２Ｂ  円弧面状部分、１３  タンク交換口カバー、１３Ａ  カバー部分、１３Ｂ  カバー部分、１５  操作面、１６ａ  電源ランプ、１６ｂ  状態表示ランプ、１６ｃ  ペーパーエンドランプ、１６ｄ  インクエンドランプ、１７  液晶表示画面、１８ａ  カッター駆動ボタン、１８ｂ  紙送りボタン、１８ｃ  クリーニングボタン、１９  電源スイッチ、２０  操作面、２１ａ  ディップスイッチ、２１ｂ  ボタン群、２８ａ  廃インクチューブ、２８ｂ  圧送ポンプ、２９  インクジェットヘッド、３０  プリンターフレーム、３０ａ  底板、３０ｂ，３０ｃ  側板、３１  ロール紙収納部、３２  記録紙搬送路、３３  ヘッドキャリッジ、３４  インクカートリッジ装着部、３５  廃インクタンク装着部、３６  ヘッドメンテナンスユニット、３６ａ  ヘッドキャップ、３７  廃インクタンク、３７Ａ  吸収材、３７ａ  端部分、３７ｂ  係合用凹部、４０  連結バンド、４１  カバー前面部分、４２  カバー側面部分、４３  カバー上面部分、４３ａ  係合面、４４  カバー底面部分、４５  垂直仕切り板部分、４６  水平仕切り板部分、４７  位置決め用突起、４８  フック、４９  フック係合溝、５０  カバー検出片、５１  スリット、６１  記録紙切断機構、Ｘ  プリンター幅方向、Ｙ  プリンター前後方向、Ｚ  プリンター上下方向
【図１】
2015009421.tif 000003
【図２】
2015009421.tif 000004
【図３】
2015009421.tif 000005
【図４】
2015009421.tif 000006
【図５】
2015009421.tif 000007
【図６】
2015009421.tif 000008
【図７】
2015009421.tif 000009